【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
モータと、
前記モータにより回転される後オイルケースと、
前記後オイルケースに固定される前オイルケースと、
前記前オイルケース及び前記後オイルケースの内部に後部が入れられる出力部と、
前記前オイルケース、前記後オイルケース及び前記出力部による密閉空間内に配置されるオイルと、
前記密閉空間内に配置されており前記出力部に衝撃トルクを付与可能であるブレードと、
前記密閉空間内に配置される中空でリング状の中空リングと、
を備えている
ことを特徴とする電動回転工具。
【請求項２】
前記中空リングの後側に、板が配置されており、
前記板の後側に、前記ブレードが配置されている
ことを特徴とする請求項１に記載の電動回転工具。
【請求項３】
前記前オイルケースに、ネジのためのネジ穴が２つ開けられている
ことを特徴とする請求項１又は請求項２に記載の電動回転工具。
【請求項４】
前記ブレードは、前記ブレードに接触可能なボール、及び前記ボールに接触可能なカムを介して、前記出力部に衝撃トルクを付与可能である
ことを特徴とする請求項１ないし請求項３の何れかに記載の電動回転工具。
【請求項５】
前記出力部に、前記オイルの内圧を調整するための出力調節機構が保持されており、
前記出力調節機構は、前後移動可能である
ことを特徴とする請求項１ないし請求項４の何れかに記載の電動回転工具。
【請求項６】
前記中空リングは、樹脂製である
ことを特徴とする請求項１ないし請求項５の何れかに記載の電動回転工具。
【請求項７】
前記後オイルケースの内面に、内側へ隆起する隆起部が設けられており、
前記ブレードは、前記隆起部に当接することにより前記衝撃トルクを発生可能である
ことを特徴とする請求項１ないし請求項６の何れかに記載の電動回転工具。
【請求項８】
前記隆起部は、２つ設けられており、
前記ブレードは、２つ設けられている
ことを特徴とする請求項７に記載の電動回転工具。
【請求項９】
モータと、
前記モータにより回転されるオイルユニットと、
前記オイルユニットから突出する出力部と、
を備えており、
前記オイルユニットは、中空でリング状の中空リングを有している
ことを特徴とする電動回転工具。
【手続補正２】
【補正対象書類名】明細書
【補正対象項目名】０００５
【補正方法】変更
【補正の内容】
【０００５】
上記目的を達成するために、請求項１に記載の発明は、モータと、前記モータにより回転される後オイルケースと、前記後オイルケースに固定される前オイルケースと、前記前オイルケース及び前記後オイルケースの内部に後部が入れられる出力部と、前記前オイルケース、前記後オイルケース及び前記出力部による密閉空間内に配置されるオイルと、前記密閉空間内に配置されており前記出力部に衝撃トルクを付与可能であるブレードと、前記密閉空間内に配置される中空でリング状の中空リングと、を備えていることを特徴とするものである。
請求項２に記載の発明は、上記発明において、前記中空リングの後側に、板が配置されており、前記板の後側に、前記ブレードが配置されていることを特徴とするものである。
請求項３に記載の発明は、上記発明において、前記前オイルケースに、ネジのためのネジ穴が２つ開けられていることを特徴とするものである。
請求項４に記載の発明は、上記発明において、前記ブレードは、前記ブレードに接触可能なボール、及び前記ボールに接触可能なカムを介して、前記出力部に衝撃トルクを付与可能であることを特徴とするものである。
請求項５に記載の発明は、上記発明において、前記出力部に、前記オイルの内圧を調整するための出力調節機構が保持されており、前記出力調節機構は、前後移動可能であることを特徴とするものである。
請求項６に記載の発明は、上記発明において、前記中空リングは、樹脂製であることを特徴とするものである。
請求項７に記載の発明は、上記発明において、前記後オイルケースの内面に、内側へ隆起する隆起部が設けられており、前記ブレードは、前記隆起部に当接することにより前記衝撃トルクを発生可能であることを特徴とするものである。
請求項８に記載の発明は、上記発明において、前記隆起部は、２つ設けられており、前記ブレードは、２つ設けられていることを特徴とするものである。
請求項９に記載の発明は、モータと、前記モータにより回転されるオイルユニットと、前記オイルユニットから突出する出力部と、を備えており、前記オイルユニットは、中空でリング状の中空リングを有していることを特徴とするものである。
尚、第１の関連発明は、モータと、前記モータにより回転されるピニオンと、前記ピニオンと噛み合う遊星歯車と、前記遊星歯車と噛み合うインターナルギヤと、前記遊星歯車により回転駆動され、前記遊星歯車の前方に配置される出力部と、を有する電動回転工具であって、前記インターナルギヤは、内歯部と、前記内歯部を保持するための内歯保持部を有しており、前記内歯部の前方に軸受が配置されており、前記内歯保持部の前部において前記軸受が保持されていることを特徴とするものである。
第２の関連発明は、モータと、前記モータにより回転されるピニオンと、前記ピニオンと噛み合う遊星歯車と、前記遊星歯車と噛み合うインターナルギヤと、前記遊星歯車により回転駆動され、前記遊星歯車の前方に配置される出力部と、を有する電動回転工具であって、前記インターナルギヤは、内歯部材と、前記内歯部材を保持するための内歯保持部材を有しており、前記内歯部材の前方に軸受が配置されており、前記内歯保持部材の前部において前記軸受が保持されていることを特徴とするものである。
第３の関連発明は、モータと、前記モータにより回転されるピニオンと、前記ピニオンと噛み合う遊星歯車と、前記遊星歯車と噛み合うインターナルギヤと、前記遊星歯車を保持するピンと、前記ピンを保持するキャリアと、前記キャリアにより回転駆動され、前記遊星歯車の前方に配置される出力部と、を有する電動回転工具であって、前記インターナルギヤの内周側に、前記キャリアが配置されていることを特徴とするものである。
第４の関連記載の発明は、モータと、前記モータにより回転されるピニオンと、前記ピニオンと噛み合う遊星歯車と、前記遊星歯車と噛み合うインターナルギヤと、を有する電動回転工具であって、前記インターナルギヤは、内歯部と、前記内歯部を保持するための内歯保持部を有しており、前記内歯保持部は、第１の軸受及び第２の軸受を保持し、前記第１の軸受及び前記第２の軸受により、閉空間が形成されることを特徴とするものである。
第５の関連発明は、モータと、前記モータにより回転されるピニオンと、前記ピニオンと噛み合う遊星歯車と、前記遊星歯車と噛み合うインターナルギヤと、を有する電動回転工具であって、前記インターナルギヤは、内歯部材と、前記内歯部材を保持するための内歯保持部材を有しており、前記内歯保持部材は、第１の軸受及び第２の軸受を保持し、前記第１の軸受及び前記第２の軸受により、閉空間が形成されることを特徴とするものである。
又、他の関連発明は、ステータと、前記ステータに対して回転可能なロータと、を有するブラシレスモータと、前記ロータにより回転される遊星歯車と、前記遊星歯車と噛み合う内歯部材と、前記遊星歯車により回転されるオイルユニットと、前記オイルユニットに接続される出力部と、前記ブラシレスモータを収容するモータハウジングと、前記モータハウジングに接続され、前記オイルユニットを収容するケースと、前記ケースに被せられるカバーと、前記ケースの後部に接続され、内歯部材を保持する内歯保持部材と、前記モータハウジングに接続されるグリップ部と、前記グリップ部に配置される制御回路基板と、を備えており、前記ロータには、ロータ軸が固定されており、前記ロータ軸の後部には、ファンが固定されており、前記ケースには、第１の吸気口が形成されており、前記モータハウジングには、第２の吸気口及び排気口が形成されており、前記ファンにより起こされて前記第２の吸気口から導入された風は、前記ブラシレスモータを冷却可能であり、前記ファンにより起こされて前記第１の吸気口から導入された風は、前記オイルユニットを冷却した後に、前記第２の吸気口から導入された風と合流して、前記ブラシレスモータを冷却可能であることを特徴とするものである。
他の関連発明は、上記発明において、前記ステータの前部には、センサ基板が配置されており、前記第１の吸気口から導入された風は、前記センサ基板を介して、前記ブラシレスモータの内部に導入されることを特徴とするものである。
他の関連発明は、上記発明において、前記内歯保持部材は、前記モータハウジングに設けられたリブにより保持されており、前記リブには、前記第１の吸気口から導入された風が通過するための通風口が形成されていることを特徴とするものである。
他の関連発明は、上記発明において、前記グリップ部の下方に、前記ブラシレスモータに給電するためのバッテリが配置されることを特徴とするものである。
他の関連発明は、コイル及び固定子鉄心を有するステータと、回転子鉄心を有しており前記ステータに対して回転可能であるロータと、前記ロータが通る孔を有しており前記ステータの前方に固定されるセンサ基板と、を有するブラシレスモータと、前記ロータにより回転される遊星歯車と、前記遊星歯車と噛み合う内歯部材と、前記遊星歯車により回転されるオイルユニットと、前記オイルユニットに接続される出力部と、前記ブラシレスモータを収容するモータハウジングと、前記モータハウジングに接続され、前記オイルユニットを収容するケースと、前記ケースに被せられるカバーと、前記ケースの後部に接続され、内歯部材を保持する内歯保持部材と、前記モータハウジングに接続されるグリップ部と、前記グリップ部に配置される制御回路基板と、を備えており、前記ロータには、ロータ軸が固定されており、前記ロータ軸の後部には、ファンが固定されており、前記ファンにより起こされた風は、前記オイルユニットを冷却した後に、前記センサ基板の前面を通ることで前記センサ基板を冷却可能であり、更に、前記センサ基板の前記孔を通り、前記回転子鉄心、前記コイル及び前記固定子鉄心の内周を通ることで前記ロータ及び前記ステータを冷却可能であることを特徴とするものである。